(57)【要約】      （修正有）【課題】日常の外出や観光のほか野外コンサートや屋外スポーツ観戦時に遭遇しうる不意の雨天対策として常時携行しても邪魔にならず、使用時にはレインコートの取り出し操作を行うと同時に展開状態にできて直ちに使用することができる物品を提供する。【解決手段】折り畳まれた状態のレインコートが、引裂誘導部Ｐを介して連結した分割体２１、２１からなる収納外袋２内に収納されてなる携帯型レインコート１であって、該収納されたレインコートは、頭部を覆うフード部と、身体部を覆うコート本体部とが薄膜シートで一体的に成形され、前記フード部の開口縁に設けた紐挿通部に開口閉止紐が挿通され、該開口閉止紐の一端を、一の分割体２１と該分割体２１の端部内側で接合し、該開口閉止紐の他端を、他の分割体２１と該分割体２１の端部内側で接合した。【選択図】図１
0003204902.tif 000002
【実用新案登録請求の範囲】
【請求項１】
折り畳まれた状態のレインコートが、引裂誘導部を介して連結した分割体からなる収納外袋内に収納されてなる携帯型レインコートであって、
該収納されたレインコート部は、頭部を覆うフード部と、身体部を覆うコート本体部とが薄膜シートで一体的に成形され、
前記フート部の開口縁に設けた紐挿通部に開口閉止紐が挿通され、
該開口閉止紐の一端が、一の分割体と該分割体の端部内側で接合され、
該開口閉止紐の他端が、他の分割体と該分割体の端部内側で接合された携帯型レインコート。
【請求項２】
前記収納外袋の表面に広告情報や告知情報が表示されたことを特徴とする請求項１に記載の携帯型レインコート。
【請求項３】
前記収納外袋及び前記レインコートは、生分解性樹脂で構成されたことを特徴とする請求項１又は請求項２のいずれかに記載の携帯型レインコート。
【請求項４】
前記レインコートが前記収納外袋内に真空パックされたことを特徴とする請求項１乃至請求項３のいずれかに記載の携帯型レインコート。
【考案の詳細な説明】
【技術分野】
【０００１】
本考案は、収納外袋内にコンパクトに収納された携行便利な携帯型レインコートに関する。
【背景技術】
【０００２】
従来、合成樹脂シートを利用してなる簡易なレインコートに関する技術が知られている。
【０００３】
コンビニエンスストアならびに鉄道駅売店等で販売される、シンプル且つ経済性、携帯性及び廃棄性に優れた使い捨てタイプの簡易レインコートであって、合成樹脂シートを型抜きした頭巾フードと丈長トップスを溶着加工する技術が開示されている（特許文献１参照）。
【０００４】
また、プラスチックフィルムを用いた簡易な構造の実用品を携行便利な収納外袋内に折り畳んで収納する技術が知られており、例えば、本考案者による取り組みであって、コンパクトで容易に携行することができ、使用時には袋体の取り出し操作を行うと同時に該袋体を展開状態にできて直ちに使用することができる折り畳みバッグに関する技術が開示されている（特許文献２参照）。
【先行技術文献】
【特許文献】
【０００５】
【特許文献１】特開２０１３−２４９５６３号公報
【特許文献２】特開２０１１−１０９１号公報
【考案の概要】
【考案が解決しようとする課題】
【０００６】
本考案は、従来の簡易なレインコートを携行便利に更なる改良を施すものであり、日常の外出や観光のほか野外コンサートや屋外でのスポーツ観戦時に遭遇しうる不意の雨天対策として常時携行しても邪魔にならず、使用時にはレインコートの取り出し操作を行うと同時にこれを展開状態にできて直ちに使用することができる物品を提供することを課題とする。
【課題を解決するための手段】
【０００７】
請求項１に記載の携帯型レインコートは、折り畳まれた状態で、引裂誘導部を介して連結した分割体からなる収納外袋内に収納されてなり、該収納されたレインコート部は、頭部を覆うフード部と、身体部を覆うコート本体部とが薄膜シートで一体的に成形され、前記フート部の開口縁に設けた紐挿通部に開口閉止紐が挿通され、該開口閉止紐の一端が、一の分割体と該分割体の端部内側で接合され、該開口閉止紐の他端が、他の分割体と該分割体の端部内側で接合されたことを特徴とする。
【０００８】
また、請求項２に記載の携帯型レインコートは、請求項１に記載の構成において、前記収納外袋の表面に広告情報や告知情報が表示されたことを特徴とする。
【０００９】
また、請求項３に記載の携帯型レインコートは、請求項１又は請求項２のいずれかに記載の構成において、前記収納外袋及び前記レインコート部が生分解性樹脂で構成されたことを特徴とする。
【００１０】
また、請求項４に記載の携帯型レインコートは、請求項１乃至請求項３のいずれかに記載の構成において、前記レインコートが前記収納外袋内に真空パックされたことを特徴とする。
【考案の効果】
【００１１】
請求項１に記載の考案によれば、前記収納外袋が、引裂誘導部を介して連結した分割体からなる構成により、使用時にはレインコート部の取り出し操作を行うと同時にこれを展開状態にできて直ちに使用することができる。
また、前記フート部の開口縁に設けた紐挿通部に開口閉止紐が挿通され、該開口閉止紐の一端が、一の分割体と該分割体の端部内側で接合され、該開口閉止紐の他端が、他の分割体と該分割体の端部内側で接合された状態で収納されたことにより、収納外袋が分割された後、開口閉止紐の両端に接合された一の分割体と他の分割体がそれぞれフード部開口縁に位置することとなるため、展開時にレインコート部の前後及び上下を直ちに確認することができる結果、開封してから着用するまでを迅速且つスムーズに行うことができる。
【００１２】
請求項２に記載の考案によれば、前収納外袋の表面に広告情報や告知情報が表示されることによって、常時携行可能な本考案の広告及び告知媒体として効果的にその機能を発揮することができる。
【００１３】
請求項３に記載の考案によれば、前記収納外袋及び前記レインコート部を生分解性樹脂で構成したことで、不法に埋められたり、投棄されたりしても、微生物によって炭酸ガス、メタン、水、などの自然的副産物に分解されることから、環境に与える負担が少ない。
【００１４】
請求項４に記載の考案によれば、前記レインコートが前記収納外袋内に真空パックされたことで、嵩張らずに持ち運びすることができる。
【図面の簡単な説明】
【００１５】
【図１】本考案の携帯型レインコートの未開封状態を示す平面図である。
【図２】本考案の携帯型レインコートの開封状態を示す説明図である。
【図３】本考案の携帯型レインコートの展開状態を示す平面図である。
【図４】展開状態のフード部開口縁を示す一部拡大図である。
【図５】レインコート部を展開状態で示す平面図である。
【図６】第一折り畳み状態を示す平面図である。
【図７】（ａ）第二折り畳み状態を示す平面図である。（ｂ）第三折り畳み状態への経過を示す説明図である。
【図８】（ａ）第三折り畳み状態のレインコートを収納外袋内に収納する直前の状態を示す説明図である。（ｂ）第三折り畳み状態のレインコートを収納外袋内に収納した状態を示す平面図である。（ｃ）第三折り畳み状態のレインコートを収納外袋内に収納した状態で収納外袋の長さ方向の両端部を溶着接合封止して携帯型レインコートを得た状態を示す図である。
【図９】レインコートが収納外袋内に真空パックされた携帯型レインコートを示す図である。
【考案を実施するための形態】
【００１６】
図面に基づき本考案の構成について、以下説明する。
【００１７】
本考案に係る携帯型レインコート（１）は、引裂誘導部（Ｐ）を介して連結した分割体（２１，２１）からなる収納外袋（２）の中に、頭部を覆うフード部（３１）と身体部を覆うコート本体部（３２）とからなるレインコートが折り畳まれた状態で収納されてなるものであり、引裂き誘導部（Ｐ）で破断することでレインコートが収納外袋の中から放出展開されるものである（図１〜図３）。
【００１８】
引裂誘導部（Ｐ）は、収納外袋（２）の略中央部において長手方向に直行する方向に周設され、収納外袋を貫通する切溝と、収納外袋を貫通しない溝状の罫線と、穿孔されたミシン目とから適宜選択することができる。
【００１９】
フード部（３１）の開口縁の周囲に設けた紐挿通部（３１１）には開口閉止紐（Ｓ）が挿通され、該開口閉止紐の一端（Ｓ１）が、一の分割体（２１ａ）と該分割体の端部内側（２２ａ）に接合されている。同様に、前記開口閉止紐の他端（Ｓ２）が、他の分割体（２１ｂ）と該分割体の端部内側（２２ｂ）に接合されてなる（図４）。
【００２０】
本実施例において携帯型レインコートの開封前の大きさは、長辺２０ｃｍ、短辺５ｃｍ、厚み５ｃｍ程度としたが、特に限定されない。大人用レインコートと子供用レインコートでは折り畳んだ状態での嵩が異なるであろうし、同じ大人用レインコートであっても、丈の長短や折り畳み方により嵩の大小に差が生じることから、製造面、利用面を考慮して適宜所定の大きさとすればよい。
【００２１】
また、図１中の（Ａ）部分に示すように、収納外袋（２）の表面には一定の領域があるため、ここへ所望の広告情報や告知情報（以下、広告等情報と称す。）を表示させることができる。本考案の常時携帯容易性とも相俟って広告効果、告知効果を十分に発揮可能な媒体としても極めて有用である。
【００２２】
本実施例においては、収納外袋（２）及びレインコート部（３）の素材に合成樹脂を用いるが、本考案の目的に適い、所定の強度が担保される限り、他の素材を使用することとしてもよい。また、生分解性樹脂を利用すれば、仮に利用者が本考案の携帯型レインコートを不法に投棄したとしても、環境に与える負担は極めて少ない。
【００２３】
次に、本考案に係る携帯型レインコートの製造方法について、図５〜図８に沿って説明する。
【００２４】
本考案に係る携帯型レインコートを構成するレインコート部（３）は、頭部を覆うフード部（３１）と見頃と袖部とからなる身体部を覆うコート本体部（３２）とからなり、合成樹脂製の薄膜シートで一体的に成形されている。該フード部（３１）の開口縁に設けた紐挿通部（３１１）には開口閉止紐（Ｓ）が挿通され、該閉止紐の一端（Ｓ１）及び他端（Ｓ２）が前記紐挿通部（３１１）の両開口部からそれぞれ突出してなる（図５）。尚、レインコート部（３）は、Ｓサイズ、Ｍサイズ、Ｌサイズといったサイズバリエーションのほか、コート本体部（３２）の丈の長短を適宜変更しても構わない。
【００２５】
なお、レインコート部（３）をレインコート以外の外套、例えば、ポンチョやケープ、クロークといった物品へと変更することを妨げない。
【００２６】
以下、展開状態のレインコート部（３）を折り畳んで収納外袋（２）へ収納するまでの工程について説明する。図中、レインコート部（３）におけるフード部（３１）とコート本体部（３２）の裾とを結ぶ方向を「第一方向（又は長さ方向）（Ｌ）」と呼び、該「第一方向（Ｌ）」と直行する方向を「第二方向（又は幅方向）（Ｗ）」と呼ぶ。
【００２７】
＜第一折り畳み状態＞
先ず、長さ方向（Ｌ）に沿って延びる、幅方向（Ｍ）に互いに離間した仮想折り目（３２１）に沿って（図５）、片方の袖部分を前身頃側で折り畳み、同様にもう片方の袖部分も折り畳む（図６（ａ））。これをレインコート部（３）の幅（Ｗ）が収納外袋内に収まる幅に至るまで、さらに必要な回数だけ折り畳む（図６（ｂ））。
【００２８】
＜第二折り畳み状態＞
次に、フード部（３１）及びコート本体部のうち上半身部分を、長さ方向（Ｌ）に二つ折りに折り畳む。このとき、閉止紐（Ｓ）が略中央に位置し、且つ該閉止紐の一端（Ｓ１）及び他端（Ｓ２）が、第一折り畳み状態のレインコート（３）の両側部（Ｅ１、Ｅ２）よりそれぞれ外方に向けて突出した状態となるように折り畳む（図７（ａ））。
【００２９】
＜第三折り畳み状態＞
そして、第二折り畳み状態となったレインコート（３）を収納外袋（２）に収まる程度に上端部（Ｅ３）、下端部（Ｅ４）より、閉止紐の一端（Ｓ１）及び他端（Ｓ２）が突出したあたりまで、それぞれＬ方向に丸めて畳む（若しくは細かく折り畳む）（図７（ｂ））。
【００３０】
こうして第三折り畳み状態となったレインコート（３）を、略中央部に引裂誘導部（Ｐ）を設けた、両端が開放された筒状の収納外袋（２）へ挿入配置せしめる（図８（ａ））。
【００３１】
このとき、閉止紐の端部Ｓ１は第三折り畳み状態のレインコート（３）の一端（Ｅ１）より外方へ向けて突出してなり、同端部Ｓ２は同じく他端（Ｅ２）より外方へ向けて突出してなることから、該端部Ｓ１、Ｓ２は、収納外袋（２）の長さ方向の端部内側の、それぞれ一端、他端に位置することとなる（図８（ｂ））。
【００３２】
第三折り畳み状態のレインコート（３）を収納外袋（２）内へ完全に挿入した後、閉止紐の両端Ｓ１，Ｓ２と収納外袋の両端開口部とをそれぞれ溶着接合封止し、該封止部（２２）において閉止紐の両端Ｓ１，Ｓ２が収納外袋（２）の端部内側で接合された状態となる（図８（ｃ））。
【００３３】
前記レインコートを前記収納外袋内に所定の真空度で真空パックされた携帯型レインコートを得る（図９）こととしてもよい。真空パックを施すことで、大量輸送時にも嵩張らずに効率よく運搬できるほか、個々の携帯にも資する。なお、この場合、引裂誘導部（Ｐ）は収納外袋（２）を貫通しない溝状の罫線を施すものとする。
【符号の説明】
【００３４】
１  本考案の携帯型レインコート
１１  真空パックを施した本考案の携帯型レインコート
２  収納外袋
２１  分割体
２２  溶着接合部
３  レインコート部
３１  フード部
３１１  紐挿通部
３２  コート本体部
３２１  仮想折り目
Ａ  広告等表示  
Ｓ  開口閉止紐
【図１】
0003204902.tif 000003
【図２】
0003204902.tif 000004
【図３】
0003204902.tif 000005
【図４】
0003204902.tif 000006
【図５】
0003204902.tif 000007
【図６】
0003204902.tif 000008
【図７】
0003204902.tif 000009
【図８】
0003204902.tif 000010
【図９】
0003204902.tif 000011